(57)【要約】【課題】    近年の製造精度向上や設計の工夫等によって、ステープルを押出す押刃とステープルの間隔を保つ為の付勢力と、ステープルが押出される押出し口と押出されたステープルの両端部を受ける針受け部の間隔を保つ為の付勢力を弱めることが可能になったが、特にストローク量の長い後者の付勢が弱められると、一対のハンドルを軽く握りステープルを押出す前の待機状態では、手からステープラーが滑り落ちそうになることがよくある。【解決手段】  ハンドルの押圧面に指係止部を設け、それに合わせて最適な付勢力を設定する。【選択図】              図１
2007144619.tif 000002
【特許請求の範囲】
【請求項１】
一端部が第１軸線を中心に揺動可能に支持され、他端部の外側に第１押圧面及び内側に押刃を備える第１ハンドルと、
一端部が前記第１軸線に略平行且つ近接した第２軸線を中心に揺動可能に支持され、他端部の外側に第２押圧面及び内側に針受け部を備える第２ハンドルと、
一端部が前記第１軸線に略平行且つ近接した第３軸線を中心に揺動可能に支持され、他端部に押出し口を備え、ステープルを収納可能で、前記第１ハンドル及び前記第２ハンドルの間に配置される収納部と、
前記第１押圧面及び前記第２押圧面の少なくとも一方に設けられ、指を挿入可能な挿入口を有する指係止部と、
を具備し、
収納された前記ステープルは前記第１押圧面及び前記第２押圧面を押圧することで前記押刃に押出され、前記針受け部は押出された前記ステープルの両端部を受けて前記両端部を折り曲げるように案内する、ステープラー。
【請求項２】
前記指係止部は、前記第１押圧面及び前記第２押圧面の両方に設けられる、
請求項１に記載のステープラー。
【請求項３】
一端部が第１軸線を中心に揺動可能に支持され、他端部の外側に第１押圧面と、中間部に押圧伝達部と、を備える第１ハンドルと、
一端部が前記第１軸線に略平行な第２軸線を中心に揺動可能に支持され、他端部の外側に第２押圧面及び内側に針受け部を備える第２ハンドルと、
一端部が前記第２軸線に略平行且つ近接した第３軸線を中心に揺動可能に支持され、他端部に押出し口を備え、ステープルを収納可能で、前記第１ハンドル及び前記第２ハンドルの間に配置される収納部と、
一端部が前記第３軸線に略平行且つ近接した第４軸線を中心に揺動可能に支持され、他端部に押刃と、中間部に前記押圧伝達部から力を受ける押圧被伝達部と、を備え、前記第１ハンドル及び前記収納部の間に配置される押刃部と、
前記第１押圧面及び前記第２押圧面の少なくとも一方に設けられ、指を挿入可能な挿入口を有する指係止部と、
を具備し、
収納された前記ステープルは前記第１押圧面及び前記第２押圧面を押圧することで前記押刃に押出され、前記針受け部は押出された前記ステープルの両端部を受けて前記両端部が曲がるように案内する、ステープラー。
【請求項４】
前記第４軸線方向から見た投影図において、前記押出し口及び前記針受け部の間が開いた待機状態から、前記押出し口及び前記針受け部の間が閉じた挟持状態までの、前記押刃先端の回転軌道上の移動距離よりも、前記第１押圧面を含む平面の前記回転軌道上の移動距離の方が長い、
請求項３に記載のステープラー。
【請求項５】
前記第１軸線及び前記第２軸線は同心であり、前記第１ハンドルは前記第１軸線を中心に揺動可能に前記第２ハンドルに支持される、
請求項１から請求項４のいずれかに記載のステープラー。
【発明の詳細な説明】
【技術分野】
【０００１】
本発明は、紙等の薄い物を綴じる為のステープラーに関する。
【背景技術】
【０００２】
紙等の薄い物を綴じる為のステープラーとしては、特許文献１から特許文献３のように操作ストローク量の増加を許容して操作力のピーク値を抑える、いわゆる倍力機構を用いて操作力を軽減するアイデアが知られている。
【０００３】
【特許文献１】特開２００５−１３８２４８号公報
【特許文献２】特開２００５−０２２０３７号公報
【特許文献３】特開２００２−０２８８７７号公報
【０００４】
また、ステープラーにおいては、待機状態においてステープルを押出す押刃とステープルの間隔を保つ為の付勢力と、ステープルが押出される押出し口と押出されたステープルの両端部を受ける針受け部の間隔を保つ為の付勢力が必要とされてきた。これらの付勢力は２つの戻しバネによるものが多く、ステープラー摺動部の製造上のバラツキや経年劣化による摺動抵抗増加を見越して付勢力が設定されていると考えられる。
また、近年ユニバーサルデザインという考え方のもと、ステープラーにおいて操作力を軽減する為に、指が掛けられる一対のハンドルが離れる方向に付勢する付勢部材の付勢力が弱められる傾向にある。
【発明の開示】
【発明が解決しようとする課題】
【０００５】
近年の製造精度向上や設計の工夫等によって、ステープルを押出す押刃とステープルの間隔を保つ為の付勢力と、ステープルが押出される押出し口と押出されたステープルの両端部を受ける針受け部の間隔を保つ為の付勢力を弱めることが可能になったが、特にストローク量の長い後者の付勢が弱められると、一対のハンドルを軽く握りステープルを押出す前の待機状態では、手からステープラーが滑り落ちそうになることがよくある。
【０００６】
また、例えばステープラーに倍力機構を用いて、操作ストローク量の増加と引き換えにステープルを押出す際の操作力のピーク値を抑えた場合、前記付勢力が一対のハンドルを戻す力まで軽減されることが多く、これが手からステープラーが滑り落ちそうになる原因になるからといって単純に前記付勢力を強めると、増加された操作ストローク量と相まって必要な操作エネルギーが増加してしまい、操作者の負担が大きくなる。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るステープラーは、例えば図１のように、
一端部が軸線１を中心に揺動可能に支持され、他端部の外側に押圧面７及び内側に押刃８を備えるハンドル４と、
一端部が軸線１に略平行且つ近接した軸線２を中心に揺動可能に支持され、他端部の外側に押圧面９及び内側に針受け部１０を備えるハンドル５と、
一端部が軸線１に略平行且つ近接した軸線３を中心に揺動可能に支持され、他端部に押出し口１１を備え、ステープル（１２,２０）を収納可能で、ハンドル４及び５の間に配置される収納部６と、
押圧面７及び９の少なくとも一方に設けられ、指を挿入可能な挿入口（１３,１４,１６,１７）を有する指係止部（１５,１８）と、
を具備し、
収納されたステープル１２は押圧面７及び９を押圧することで押刃８に押出され、針受け部１０は押出されたステープル１２の両端部を受けて前記両端部を折り曲げるように案内する、ステープラーである。
【０００９】
発明２に係るステープラーは、発明１のステープラーにおいて、例えば図１のように、
指係止部１５及び１８はそれぞれ、押圧面７及び９に設けられる、
ステープラーである。
【００１０】
発明３に係るステープラーは、例えば図２及び３、又は、図４及び５のように、
一端部が軸線１を中心に揺動可能に支持され、他端部の外側に押圧面７と、中間部に押圧伝達部３３と、を備えるハンドル４と、
一端部が軸線１に略平行な軸線２を中心に揺動可能に支持され、他端部の外側に押圧面９及び内側に針受け部１０を備えるハンドル５と、
一端部が軸線２に略平行且つ近接した軸線３を中心に揺動可能に支持され、他端部に押出し口１１を備え、ステープル（１２,２０）を収納可能で、ハンドル４及び５の間に配置される収納部６と、
一端部が軸線３に略平行且つ近接した軸線２６を中心に揺動可能に支持され、他端部に押刃８と、中間部に押圧伝達部３３から力を受ける押圧被伝達部３４と、を備え、ハンドル４及び収納部６の間に配置される押刃部２５と、
押圧面７及び９の少なくとも一方に設けられ、指を挿入可能な挿入口（１３,１４）を有する指係止部１５と、
を具備し、
収納されたステープル１２は押圧面７及び９を押圧することで押刃８に押出され、針受け部１０は押出されたステープル１２の両端部を受けて前記両端部が曲がるように案内する、ステープラーである。
【００１１】
発明４に係るステープラーは、発明３のステープラーにおいて、例えば図２及び３、又は、図４及び５のように、
軸線２６方向から見た投影図において、押出し口１１及び針受け部１０の間が開いた図２又は４のような待機状態から、押出し口１１及び針受け部１０の間が閉じた図３又は５のような挟持状態までの、押刃８先端の回転軌道３０上の点３２から点３６までの移動距離よりも、押圧面７を含む平面２９の回転軌道３０上の点３１から点３５までの移動距離の方が長い、ステープラーである。
【００１２】
発明５に係るステープラーは、発明１から４のいずれかのステープラーにおいて、例えば図１、又は、図２及び３、又は、図４及び５のように、
軸線１及び２は同心であり、ハンドル４は軸線１を中心に揺動可能にハンドル５に支持される、ステープラーである。
【００１３】
さらに好ましい案１に係るステープラーは、発明１から５のいずれかのステープラーにおいて、例えば図１、又は、図４及び５のように、
指係止部１５及び１８の少なくとも一方は、選択された指係止部（１５,１８）が設けられる押圧面（７,９）に略垂直な軸線（２１,４１）を中心に回動可能に支持される、ステープラーである。
【発明の効果】
【００１４】
以上のように本発明では、指を挿入することで指を係止可能な指係止部１５及び１８の少なくとも一方が設けられるので、ステープラーの操作力を軽減する為に、例えば指が掛けられる一対のハンドル（４,５）が離れる方向に付勢する付勢部材を極端に弱める、又は使用しないというような方法をとっても、簡便な操作性を有し手から滑り落ちにくいステープラーを得ることができる。
【００１５】
また、発明２では、本発明の効果に加えて、さらに手から滑り落ちにくく簡便なステープラーを得ることができる。
【００１６】
また、発明４では、本発明の効果に加えて、操作エネルギーの軽減と上質な操作性を同時に得ることができる。
【００１７】
また、案１では、本発明の効果に加えて、手の形状の個人差、ステープラーの握り方の違い、手のどの指を挿入するかによる違い、利き腕の違い、があっても理想的な挿入方向を有する指係止部（１５,１８）を得やすい。
【発明を実施するための最良の形態】
【００１８】
〔第１実施形態〕
図１において、ハンドル４及び５はそれぞれグラスファイバー強化ナイロンの射出成型によって一体成形したものである。
また、ハンドル４の他端部の外側の押圧面７に、ハンドル４の長手方向に挿入口１３及び挿入口１４の開けられた割り２２入りのC字状の指係止部１５が設けられている。この指係止部１５は親指が挿入されることを想定しているが、親指以外の指を想定する場合はハンドル４の揺動中心である軸線１に対して略平行な方向に挿入口１３及び挿入口１４を開けるのが好ましい。しかし、この指係止部１５は円盤状部２３がハンドル４の他端部に隙間嵌合され、ハンドル４の内側から円盤状部２３が回動可能なようにネジ止めされているので、押圧面７に略垂直な軸線２１を中心に回動可能であり、指の挿入方向を変更するのは容易である。
また、ハンドル５の他端部の外側の押圧面９にも、指係止部１５と同様な指係止部１８が軸線４１を中心に回動可能に設けられているが、輪状であり割りは入っていない。
また、指係止部(１５,１８)を、弾力性に富んだポリプロピレン等の樹脂や、伸縮性に富んだゴム等で成形して、より指にフィットするようにしてもよい。
また、指係止部（１５,１８）を輪状、Ｃ字状、挿入口（１３,１６）又は挿入口(１４,１７)をふさいだキャップ形状等、適材適所で形状を選択して使用することが好ましい。
【００１９】
また、ハンドル４及び５の一端部にそれぞれ設けられる軸線１及び２は同心である。
また、収納部６の一端部が軸線３を中心に揺動可能に支持されており、軸線３も軸線１及び２と同心であり、実際には軸線１、２及び３を中心とする軸ピン２４がこれらの揺動中心軸として挿入されている。
しかし、ここで同心とした軸線が、公知の様々なステープラー、特に倍力機構や平行リンク等の機構を採用する場合に同心でないことが多いことは、当業者であれば明らかである。
【００２０】
また、先頭のステープル１２及び最後尾のステープル２０等から成るステープル集合体、及び収納部６のスライド片１９は収納部６の溝に収納されており、ステープル２０がスライド片１９に付勢されることでステープル１２は収納部６の他端部方向に付勢されている。
また、収納部６の他端部に設けられた押出し口１１からステープル１２を押出し可能な押刃８は、ハンドル４の他端部の内側に一部が埋め込まれた金属製の板である。
また、ステープル１２の両端部が折れ曲がるように案内する溝が設けられた針受け部１０は、ハンドル５の他端部の内側に一部が埋め込まれた金属製の部材である。
また、ステープル１２を押出す前の待機状態において、押刃８及びステープル１２が適度な間隔を保つ為の戻しバネや、押出し口１１及び針受け部１０が適度な間隔を保つ為の戻しバネを設けてもよい。
【００２１】
〔第２実施形態〕
図２及び３において、ハンドル４及び５、収納部６及び押刃部２５はそれぞれ鉄板をプレス成型したものである。
また、ハンドル４の他端部の外側の押圧面７に、ハンドル４の長手方向に挿入口１３及び１４の開けられたゴム成型製の輪状の指係止部１５が設けられている。
【００２２】
また、ハンドル４及び５の一端部にそれぞれ設けられる軸線１及び２は同心であり、ハンドル５の溝２８内で移動可能な軸線１を中心とする円柱突起２７は待機状態からステープル１２を押出すまでの操作では溝２８の一端付近にとどまり、ステープル（１２,２０）を補充する際は溝２８の他端付近に移動する。
また、収納部６の一端部が軸線３を中心に揺動可能に支持されており、軸線３は軸線２６と同心であり、実際には軸線３及び２６を中心とする軸ピンがこれらの揺動中心軸として挿入され、ハンドル５上の軸線２に近接したところで支持されている。
【００２３】
また、収納部６の他端部に設けられた押出し口１１からステープル１２を押出し可能な押刃８は、押刃部２５の他端部に一体成型されている。
また、ステープル１２の両端部が折れ曲がるように案内する溝が設けられた針受け部１０は、ハンドル５の他端部の内側に一体成型されている。
また、ステープル１２を押出す前の待機状態において、押刃８及びステープル１２が適度な間隔を保つ為の戻しバネや、押出し口１１及び針受け部１０が適度な間隔を保つ為の戻しバネを設けてもよい。
【００２４】
また、押圧部７からの押圧を押刃部２５の押圧被伝達部３４に伝える為のハンドル４の押圧伝達部３３には凸形状が一体成型されており、直線３７で押圧被伝達部３４に線接触して摺動可能である。
【００２５】
〔第３実施形態〕
第３実施形態は、第２実施形態の押圧伝達部３３及び押圧被伝達部３４における伝達機構を図４及び５のようにしたのが大きな変更点であり、細かな変更点は当業者には明らかであるので記載は省略する。
【００２６】
押圧部７からの押圧を押刃部２５の押圧被伝達部３４に伝える為のハンドル４の押圧伝達部３３には軸線３９を中心とする軸ピンが挿入されており、押圧被伝達部３４には軸線４０を中心とする軸ピンが挿入されている。また一端が軸線３９を中心とする軸ピンに揺動可能に、他端が軸線４０を中心とする軸ピンに揺動可能に支持されるリンク３８を介して、押圧伝達部３３から押圧被伝達部３４に押圧が伝えられる。
【図面の簡単な説明】
【００２７】
【図１】待機状態の第１実施形態を第三角法で表した図
【図２】待機状態の第２実施形態を軸線２６方向から見た投影図（模式図）
【図３】挟持状態の第２実施形態を軸線２６方向から見た投影図（模式図）
【図４】待機状態の第３実施形態を軸線２６方向から見た投影図（模式図）
【図５】挟持状態の第３実施形態を軸線２６方向から見た投影図（模式図）
【符号の説明】
【００２８】
１,２,３,２１,２６,
３９,４０,４１.                 軸線
４,５.                                 ハンドル
６.                                      収納部
７,９.                                 押圧面
８.                                      押刃
１０.                                  針受け部
１１.                                  押出し口
１２,２０.                          ステープル
１３,１４,１６,１７.         挿入口
１５,１８.                          指係止部
１９.                                  スライド片
２２.                                  割り
２３,４２.                          円盤状部
２４.                                  軸ピン
２５.                                  押刃部
２７.                                  円柱突起
２８.                                  溝
２９.                                  平面
３０.                                  回転軌道
３１,３２,３５,３６.         点
３３.                                  押圧伝達部
３４.                                  押圧被伝達部
３７.                                  直線
３８.                                  リンク
【図１】
2007144619.tif 000003
【図２】
2007144619.tif 000004
【図３】
2007144619.tif 000005
【図４】
2007144619.tif 000006
【図５】
2007144619.tif 000007
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
一端部が第１軸線を中心に揺動可能に支持され、他端部の外側に第１押圧面及び内側に押刃を備える第１ハンドルと、
一端部が前記第１軸線に略平行且つ近接した第２軸線を中心に揺動可能に支持され、他端部の外側に第２押圧面及び内側に針受け部を備える第２ハンドルと、
一端部が前記第１軸線に略平行且つ近接した第３軸線を中心に揺動可能に支持され、他端部に押出し口を備え、ステープルを収納可能で、前記第１ハンドル及び前記第２ハンドルの間に配置される収納部と、
前記第１押圧面及び前記第２押圧面の一方に設けられ、前記一方を備える前記第１ハンドル又は前記第２ハンドルの長手方向に開けられて指を挿入可能な挿入口を有する第１指係止部と、
を具備し、
収納された前記ステープルは前記第１押圧面及び前記第２押圧面を押圧することで前記押刃に押出され、前記針受け部は押出された前記ステープルの両端部を受けて前記両端部を折り曲げるように案内する、ステープラー。
【請求項２】
前記第１押圧面及び前記第２押圧面の他方に、指を挿入可能な挿入口を有する第２指係止部が設けられる、
請求項１に記載のステープラー。
【請求項３】
一端部が第１軸線を中心に揺動可能に支持され、他端部の外側に第１押圧面と、中間部に押圧伝達部と、を備える第１ハンドルと、
一端部が前記第１軸線に略平行な第２軸線を中心に揺動可能に支持され、他端部の外側に第２押圧面及び内側に針受け部を備える第２ハンドルと、
一端部が前記第２軸線に略平行且つ近接した第３軸線を中心に揺動可能に支持され、他端部に押出し口を備え、ステープルを収納可能で、前記第１ハンドル及び前記第２ハンドルの間に配置される収納部と、
一端部が前記第３軸線に略平行且つ近接した第４軸線を中心に揺動可能に支持され、他端部に押刃と、中間部に前記押圧伝達部から力を受ける押圧被伝達部と、を備え、前記第１ハンドル及び前記収納部の間に配置される押刃部と、
前記第１押圧面及び前記第２押圧面の一方に設けられ、前記一方を備える前記第１ハンドル又は前記第２ハンドルの長手方向に開けられて指を挿入可能な挿入口を有する第１指係止部と、
を具備し、
収納された前記ステープルは前記第１押圧面及び前記第２押圧面を押圧することで前記押刃に押出され、前記針受け部は押出された前記ステープルの両端部を受けて前記両端部が曲がるように案内する、ステープラー。
【請求項４】
前記第４軸線方向から見た投影図において、前記押出し口及び前記針受け部の間が開いた待機状態から、前記押出し口及び前記針受け部の間が閉じた挟持状態までの、前記押刃先端の回転軌道上の移動距離よりも、前記第１押圧面を含む平面の前記回転軌道上の移動距離の方が長い、
請求項３に記載のステープラー。
【請求項５】
前記第１軸線及び前記第２軸線は同心であり、前記第１ハンドルは前記第１軸線を中心に揺動可能に前記第２ハンドルに支持される、
請求項１から請求項４のいずれかに記載のステープラー。
【手続補正２】
【補正対象書類名】明細書
【補正対象項目名】全文
【補正方法】変更
【補正の内容】
【発明の詳細な説明】
【技術分野】
【０００１】
本発明は、紙等の薄い物を綴じる為のステープラーに関する。
【背景技術】
【０００２】
紙等の薄い物を綴じる為のステープラーとしては、特許文献１から特許文献３のように操作ストローク量の増加を許容して操作力のピーク値を抑える、いわゆる倍力機構を用いて操作力を軽減するアイデアが知られている。
【０００３】
【特許文献１】特開２００５−１３８２４８号公報
【特許文献２】特開２００５−０２２０３７号公報
【特許文献３】特開２００２−０２８８７７号公報
【０００４】
また、ステープラーにおいては、待機状態においてステープルを押出す押刃とステープルの間隔を保つ為の付勢力と、ステープルが押出される押出し口と押出されたステープルの両端部を受ける針受け部の間隔を保つ為の付勢力が必要とされてきた。これらの付勢力は２つの戻しバネによるものが多く、ステープラー摺動部の製造上のバラツキや経年劣化による摺動抵抗増加を見越して付勢力が設定されていると考えられる。
また、近年ユニバーサルデザインという考え方のもと、ステープラーにおいて操作力を軽減する為に、指が掛けられる一対のハンドルが離れる方向に付勢する付勢部材の付勢力が弱められる傾向にある。
【発明の開示】
【発明が解決しようとする課題】
【０００５】
近年の製造精度向上や設計の工夫等によって、ステープルを押出す押刃とステープルの間隔を保つ為の付勢力と、ステープルが押出される押出し口と押出されたステープルの両端部を受ける針受け部の間隔を保つ為の付勢力を弱めることが可能になったが、特にストローク量の長い後者の付勢が弱められると、一対のハンドルを軽く握りステープルを押出す前の待機状態では、手からステープラーが滑り落ちそうになることがよくある。
【０００６】
また、例えばステープラーに倍力機構を用いて、操作ストローク量の増加と引き換えにステープルを押出す際の操作力のピーク値を抑えた場合、前記付勢力が一対のハンドルを戻す力まで軽減されることが多く、これが手からステープラーが滑り落ちそうになる原因になるからといって単純に前記付勢力を強めると、増加された操作ストローク量と相まって必要な操作エネルギーが増加してしまい、操作者の負担が大きくなる。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るステープラーは、例えば図１のように、
一端部が軸線１を中心に揺動可能に支持され、他端部の外側に押圧面７及び内側に押刃８を備えるハンドル４と、
一端部が軸線１に略平行且つ近接した軸線２を中心に揺動可能に支持され、他端部の外側に押圧面９及び内側に針受け部１０を備えるハンドル５と、
一端部が軸線１に略平行且つ近接した軸線３を中心に揺動可能に支持され、他端部に押出し口１１を備え、ステープル（１２,２０）を収納可能で、ハンドル４及び５の間に配置される収納部６と、
押圧面７及び９の一方に設けられ、前記一方を備えるハンドル４又は５の長手方向に開けられて指を挿入可能な挿入口（１３,１４）を有する指係止部１５と、
を具備し、
収納されたステープル１２は押圧面７及び９を押圧することで押刃８に押出され、針受け部１０は押出されたステープル１２の両端部を受けて前記両端部を折り曲げるように案内する、ステープラーである。
【０００９】
発明２に係るステープラーは、発明１のステープラーにおいて、例えば図１のように、
押圧面７及び９の他方に、指を挿入可能な挿入口（１６,１７）を有する指係止部１８が設けられる、
ステープラーである。
【００１０】
発明３に係るステープラーは、例えば図２及び３、又は、図４及び５のように、
一端部が軸線１を中心に揺動可能に支持され、他端部の外側に押圧面７と、中間部に押圧伝達部３３と、を備えるハンドル４と、
一端部が軸線１に略平行な軸線２を中心に揺動可能に支持され、他端部の外側に押圧面９及び内側に針受け部１０を備えるハンドル５と、
一端部が軸線２に略平行且つ近接した軸線３を中心に揺動可能に支持され、他端部に押出し口１１を備え、ステープル（１２,２０）を収納可能で、ハンドル４及び５の間に配置される収納部６と、
一端部が軸線３に略平行且つ近接した軸線２６を中心に揺動可能に支持され、他端部に押刃８と、中間部に押圧伝達部３３から力を受ける押圧被伝達部３４と、を備え、ハンドル４及び収納部６の間に配置される押刃部２５と、
押圧面７及び９の一方に設けられ、前記一方を備えるハンドル４又は５の長手方向に開けられて指を挿入可能な挿入口（１３,１４）を有する指係止部１５と、
を具備し、
収納されたステープル１２は押圧面７及び９を押圧することで押刃８に押出され、針受け部１０は押出されたステープル１２の両端部を受けて前記両端部が曲がるように案内する、ステープラーである。
【００１１】
発明４に係るステープラーは、発明３のステープラーにおいて、例えば図２及び３、又は、図４及び５のように、
軸線２６方向から見た投影図において、押出し口１１及び針受け部１０の間が開いた図２又は４のような待機状態から、押出し口１１及び針受け部１０の間が閉じた図３又は５のような挟持状態までの、押刃８先端の回転軌道３０上の点３２から点３６までの移動距離よりも、押圧面７を含む平面２９の回転軌道３０上の点３１から点３５までの移動距離の方が長い、ステープラーである。
【００１２】
発明５に係るステープラーは、発明１から４のいずれかのステープラーにおいて、例えば図１、又は、図２及び３、又は、図４及び５のように、
軸線１及び２は同心であり、ハンドル４は軸線１を中心に揺動可能にハンドル５に支持される、ステープラーである。
【００１３】
さらに好ましい案１に係るステープラーは、発明１から５のいずれかのステープラーにおいて、例えば図１、又は、図４及び５のように、
指係止部１５及び１８の少なくとも一方は、選択された指係止部（１５,１８）が設けられる押圧面（７,９）に略垂直な軸線（２１,４１）を中心に回動可能に支持される、ステープラーである。
【発明の効果】
【００１４】
以上のように本発明では、指を挿入することで指を係止可能な指係止部１５が設けられるので、ステープラーの操作力を軽減する為に、例えば指が掛けられる一対のハンドル（４,５）が離れる方向に付勢する付勢部材を極端に弱める、又は使用しないというような方法をとっても、簡便な操作性を有し手から滑り落ちにくいステープラーを得ることができる。
【００１５】
また、発明２では、本発明の効果に加えて、さらに手から滑り落ちにくく簡便なステープラーを得ることができる。
【００１６】
また、発明４では、本発明の効果に加えて、操作エネルギーの軽減と上質な操作性を同時に得ることができる。
【００１７】
また、案１では、本発明の効果に加えて、手の形状の個人差、ステープラーの握り方の違い、手のどの指を挿入するかによる違い、利き腕の違い、があっても理想的な挿入方向を有する指係止部（１５,１８）を得やすい。
【発明を実施するための最良の形態】
【００１８】
〔第１実施形態〕
図１において、ハンドル４及び５はそれぞれグラスファイバー強化ナイロンの射出成型によって一体成形したものである。
また、ハンドル４の他端部の外側の押圧面７に、ハンドル４の長手方向に挿入口１３及び挿入口１４の開けられた割り２２入りのC字状の指係止部１５が設けられている。この指係止部１５は親指が挿入されることを想定しているが、親指以外の指を想定する場合はハンドル４の揺動中心である軸線１に対して略平行な方向に挿入口１３及び挿入口１４を開けるのが好ましい。しかし、この指係止部１５は円盤状部２３がハンドル４の他端部に隙間嵌合され、ハンドル４の内側から円盤状部２３が回動可能なようにネジ止めされているので、押圧面７に略垂直な軸線２１を中心に回動可能であり、指の挿入方向を変更するのは容易である。
また、ハンドル５の他端部の外側の押圧面９にも、指係止部１５と同様な指係止部１８が軸線４１を中心に回動可能に設けられているが、輪状であり割りは入っていない。
また、指係止部(１５,１８)を、弾力性に富んだポリプロピレン等の樹脂や、伸縮性に富んだゴム等で成形して、より指にフィットするようにしてもよい。
また、指係止部（１５,１８）を輪状、Ｃ字状、挿入口（１３,１６）又は挿入口(１４,１７)をふさいだキャップ形状等、適材適所で形状を選択して使用することが好ましい。
【００１９】
また、ハンドル４及び５の一端部にそれぞれ設けられる軸線１及び２は同心である。
また、収納部６の一端部が軸線３を中心に揺動可能に支持されており、軸線３も軸線１及び２と同心であり、実際には軸線１、２及び３を中心とする軸ピン２４がこれらの揺動中心軸として挿入されている。
しかし、ここで同心とした軸線が、公知の様々なステープラー、特に倍力機構や平行リンク等の機構を採用する場合に同心でないことが多いことは、当業者であれば明らかである。
【００２０】
また、先頭のステープル１２及び最後尾のステープル２０等から成るステープル集合体、及び収納部６のスライド片１９は収納部６の溝に収納されており、ステープル２０がスライド片１９に付勢されることでステープル１２は収納部６の他端部方向に付勢されている。
また、収納部６の他端部に設けられた押出し口１１からステープル１２を押出し可能な押刃８は、ハンドル４の他端部の内側に一部が埋め込まれた金属製の板である。
また、ステープル１２の両端部が折れ曲がるように案内する溝が設けられた針受け部１０は、ハンドル５の他端部の内側に一部が埋め込まれた金属製の部材である。
また、ステープル１２を押出す前の待機状態において、押刃８及びステープル１２が適度な間隔を保つ為の戻しバネや、押出し口１１及び針受け部１０が適度な間隔を保つ為の戻しバネを設けてもよい。
【００２１】
〔第２実施形態〕
図２及び３において、ハンドル４及び５、収納部６及び押刃部２５はそれぞれ鉄板をプレス成型したものである。
また、ハンドル４の他端部の外側の押圧面７に、ハンドル４の長手方向に挿入口１３及び１４の開けられたゴム成型製の輪状の指係止部１５が設けられている。
【００２２】
また、ハンドル４及び５の一端部にそれぞれ設けられる軸線１及び２は同心であり、ハンドル５の溝２８内で移動可能な軸線１を中心とする円柱突起２７は待機状態からステープル１２を押出すまでの操作では溝２８の一端付近にとどまり、ステープル（１２,２０）を補充する際は溝２８の他端付近に移動する。
また、収納部６の一端部が軸線３を中心に揺動可能に支持されており、軸線３は軸線２６と同心であり、実際には軸線３及び２６を中心とする軸ピンがこれらの揺動中心軸として挿入され、ハンドル５上の軸線２に近接したところで支持されている。
【００２３】
また、収納部６の他端部に設けられた押出し口１１からステープル１２を押出し可能な押刃８は、押刃部２５の他端部に一体成型されている。
また、ステープル１２の両端部が折れ曲がるように案内する溝が設けられた針受け部１０は、ハンドル５の他端部の内側に一体成型されている。
また、ステープル１２を押出す前の待機状態において、押刃８及びステープル１２が適度な間隔を保つ為の戻しバネや、押出し口１１及び針受け部１０が適度な間隔を保つ為の戻しバネを設けてもよい。
【００２４】
また、押圧部７からの押圧を押刃部２５の押圧被伝達部３４に伝える為のハンドル４の押圧伝達部３３には凸形状が一体成型されており、直線３７で押圧被伝達部３４に線接触して摺動可能である。
【００２５】
〔第３実施形態〕
第３実施形態は、第２実施形態の押圧伝達部３３及び押圧被伝達部３４における伝達機構を図４及び５のようにしたのが大きな変更点であり、細かな変更点は当業者には明らかであるので記載は省略する。
【００２６】
押圧部７からの押圧を押刃部２５の押圧被伝達部３４に伝える為のハンドル４の押圧伝達部３３には軸線３９を中心とする軸ピンが挿入されており、押圧被伝達部３４には軸線４０を中心とする軸ピンが挿入されている。また一端が軸線３９を中心とする軸ピンに揺動可能に、他端が軸線４０を中心とする軸ピンに揺動可能に支持されるリンク３８を介して、押圧伝達部３３から押圧被伝達部３４に押圧が伝えられる。
【図面の簡単な説明】
【００２７】
【図１】待機状態の第１実施形態を第三角法で表した図
【図２】待機状態の第２実施形態を軸線２６方向から見た投影図（模式図）
【図３】挟持状態の第２実施形態を軸線２６方向から見た投影図（模式図）
【図４】待機状態の第３実施形態を軸線２６方向から見た投影図（模式図）
【図５】挟持状態の第３実施形態を軸線２６方向から見た投影図（模式図）
【符号の説明】
【００２８】
１,２,３,２１,２６,
３９,４０,４１.                 軸線
４,５.                                 ハンドル
６.                                      収納部
７,９.                                 押圧面
８.                                      押刃
１０.                                  針受け部
１１.                                  押出し口
１２,２０.                          ステープル
１３,１４,１６,１７.         挿入口
１５,１８.                          指係止部
１９.                                  スライド片
２２.                                   割り
２３,４２.                          円盤状部
２４.                                  軸ピン
２５.                                  押刃部
２７.                                  円柱突起
２８.                                  溝
２９.                                  平面
３０.                                  回転軌道
３１,３２,３５,３６.         点
３３.                                  押圧伝達部
３４.                                  押圧被伝達部
３７.                                  直線
３８.                                  リンク
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
一端部が第１軸線を中心に揺動可能に支持され、他端部の外側に第１押圧面及び内側に押刃を備える第１ハンドルと、
一端部が前記第１軸線に略平行且つ近接した第２軸線を中心に揺動可能に支持され、他端部の外側に第２押圧面及び内側に針受け部を備える第２ハンドルと、
一端部が前記第１軸線に略平行且つ近接した第３軸線を中心に揺動可能に支持され、他端部に押出し口を備え、ステープルを収納可能で、前記第１ハンドル及び前記第２ハンドルの間に配置される収納部と、
前記第１押圧面及び前記第２押圧面の一方に設けられ、前記一方に略垂直な軸線を中心に回動可能に支持され、指を挿入可能な挿入口を有する第１指係止部と、
を具備し、
収納された前記ステープルは前記第１押圧面及び前記第２押圧面を押圧することで前記押刃に押出され、前記針受け部は押出された前記ステープルの両端部を受けて前記両端部を折り曲げるように案内する、ステープラー。
【請求項２】
前記第１押圧面及び前記第２押圧面の他方に、指を挿入可能な挿入口を有する第２指係止部が設けられる、
請求項１に記載のステープラー。
【請求項３】
一端部が第１軸線を中心に揺動可能に支持され、他端部の外側に第１押圧面と、中間部に押圧伝達部と、を備える第１ハンドルと、
一端部が前記第１軸線に略平行な第２軸線を中心に揺動可能に支持され、他端部の外側に第２押圧面及び内側に針受け部を備える第２ハンドルと、
一端部が前記第２軸線に略平行且つ近接した第３軸線を中心に揺動可能に支持され、他端部に押出し口を備え、ステープルを収納可能で、前記第１ハンドル及び前記第２ハンドルの間に配置される収納部と、
一端部が前記第３軸線に略平行且つ近接した第４軸線を中心に揺動可能に支持され、他端部に押刃と、中間部に前記押圧伝達部から力を受ける押圧被伝達部と、を備え、前記第１ハンドル及び前記収納部の間に配置される押刃部と、
前記第１押圧面及び前記第２押圧面の一方に設けられ、前記一方に略垂直な軸線を中心に回動可能に支持され、指を挿入可能な挿入口を有する第１指係止部と、
を具備し、
収納された前記ステープルは前記第１押圧面及び前記第２押圧面を押圧することで前記押刃に押出され、前記針受け部は押出された前記ステープルの両端部を受けて前記両端部が曲がるように案内する、ステープラー。
【請求項４】
前記第４軸線方向から見た投影図において、前記押出し口及び前記針受け部の間が開いた待機状態から、前記押出し口及び前記針受け部の間が閉じた挟持状態までの、前記押刃先端の回転軌道上の移動距離よりも、前記第１押圧面を含む平面の前記回転軌道上の移動距離の方が長い、
請求項３に記載のステープラー。
【請求項５】
前記第１軸線及び前記第２軸線は同心であり、前記第１ハンドルは前記第１軸線を中心に揺動可能に前記第２ハンドルに支持される、
請求項１から請求項４のいずれかに記載のステープラー。
【手続補正２】
【補正対象書類名】明細書
【補正対象項目名】全文
【補正方法】変更
【補正の内容】
【発明の詳細な説明】
【技術分野】
【０００１】
本発明は、紙等の薄い物を綴じる為のステープラーに関する。
【背景技術】
【０００２】
紙等の薄い物を綴じる為のステープラーとしては、特許文献１から特許文献３のように操作ストローク量の増加を許容して操作力のピーク値を抑える、いわゆる倍力機構を用いて操作力を軽減するアイデアが知られている。
【０００３】
【特許文献１】特開２００５−１３８２４８号公報
【特許文献２】特開２００５−０２２０３７号公報
【特許文献３】特開２００２−０２８８７７号公報
【０００４】
また、ステープラーにおいては、待機状態においてステープルを押出す押刃とステープルの間隔を保つ為の付勢力と、ステープルが押出される押出し口と押出されたステープルの両端部を受ける針受け部の間隔を保つ為の付勢力が必要とされてきた。これらの付勢力は２つの戻しバネによるものが多く、ステープラー摺動部の製造上のバラツキや経年劣化による摺動抵抗増加を見越して付勢力が設定されていると考えられる。
また、近年ユニバーサルデザインという考え方のもと、ステープラーにおいて操作力を軽減する為に、指が掛けられる一対のハンドルが離れる方向に付勢する付勢部材の付勢力が弱められる傾向にある。
【発明の開示】
【発明が解決しようとする課題】
【０００５】
近年の製造精度向上や設計の工夫等によって、ステープルを押出す押刃とステープルの間隔を保つ為の付勢力と、ステープルが押出される押出し口と押出されたステープルの両端部を受ける針受け部の間隔を保つ為の付勢力を弱めることが可能になったが、特にストローク量の長い後者の付勢が弱められると、一対のハンドルを軽く握りステープルを押出す前の待機状態では、手からステープラーが滑り落ちそうになることがよくある。
【０００６】
また、例えばステープラーに倍力機構を用いて、操作ストローク量の増加と引き換えにステープルを押出す際の操作力のピーク値を抑えた場合、前記付勢力が一対のハンドルを戻す力まで軽減されることが多く、これが手からステープラーが滑り落ちそうになる原因になるからといって単純に前記付勢力を強めると、増加された操作ストローク量と相まって必要な操作エネルギーが増加してしまい、操作者の負担が大きくなる。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るステープラーは、例えば図１のように、
一端部が軸線１を中心に揺動可能に支持され、他端部の外側に押圧面７及び内側に押刃８を備えるハンドル４と、
一端部が軸線１に略平行且つ近接した軸線２を中心に揺動可能に支持され、他端部の外側に押圧面９及び内側に針受け部１０を備えるハンドル５と、
一端部が軸線１に略平行且つ近接した軸線３を中心に揺動可能に支持され、他端部に押出し口１１を備え、ステープル（１２,２０）を収納可能で、ハンドル４及び５の間に配置される収納部６と、
押圧面７及び９の一方に設けられ、前記一方に略垂直な軸線２１を中心に回動可能に支持され、指を挿入可能な挿入口（１３,１４）を有する指係止部１５と、
を具備し、
収納されたステープル１２は押圧面７及び９を押圧することで押刃８に押出され、針受け部１０は押出されたステープル１２の両端部を受けて前記両端部を折り曲げるように案内する、ステープラーである。
【０００９】
発明２に係るステープラーは、発明１のステープラーにおいて、例えば図１のように、
押圧面７及び９の他方に、指を挿入可能な挿入口（１６,１７）を有する指係止部１８が設けられる、
ステープラーである。
【００１０】
発明３に係るステープラーは、例えば図４及び５のように、
一端部が軸線１を中心に揺動可能に支持され、他端部の外側に押圧面７と、中間部に押圧伝達部３３と、を備えるハンドル４と、
一端部が軸線１に略平行な軸線２を中心に揺動可能に支持され、他端部の外側に押圧面９及び内側に針受け部１０を備えるハンドル５と、
一端部が軸線２に略平行且つ近接した軸線３を中心に揺動可能に支持され、他端部に押出し口１１を備え、ステープル（１２,２０）を収納可能で、ハンドル４及び５の間に配置される収納部６と、
一端部が軸線３に略平行且つ近接した軸線２６を中心に揺動可能に支持され、他端部に押刃８と、中間部に押圧伝達部３３から力を受ける押圧被伝達部３４と、を備え、ハンドル４及び収納部６の間に配置される押刃部２５と、
押圧面７及び９の一方に設けられ、前記一方に略垂直な軸線２１を中心に回動可能に支持され、指を挿入可能な挿入口（１３,１４）を有する指係止部１５と、
を具備し、
収納されたステープル１２は押圧面７及び９を押圧することで押刃８に押出され、針受け部１０は押出されたステープル１２の両端部を受けて前記両端部が曲がるように案内する、ステープラーである。
【００１１】
発明４に係るステープラーは、発明３のステープラーにおいて、例えば図４及び５のように、
軸線２６方向から見た投影図において、押出し口１１及び針受け部１０の間が開いた図４のような待機状態から、押出し口１１及び針受け部１０の間が閉じた図５のような挟持状態までの、押刃８先端の回転軌道３０上の点３２から点３６までの移動距離よりも、押圧面７を含む平面２９の回転軌道３０上の点３１から点３５までの移動距離の方が長い、ステープラーである。
【００１２】
発明５に係るステープラーは、発明１から４のいずれかのステープラーにおいて、例えば図１、又は、図４及び５のように、
軸線１及び２は同心であり、ハンドル４は軸線１を中心に揺動可能にハンドル５に支持される、ステープラーである。
【発明の効果】
【００１３】
以上のように本発明では、指を挿入することで指を係止可能な指係止部１５が設けられるので、ステープラーの操作力を軽減する為に、例えば指が掛けられる一対のハンドル（４,５）が離れる方向に付勢する付勢部材を極端に弱める、又は使用しないというような方法をとっても、簡便な操作性を有し手から滑り落ちにくいステープラーを得ることができる。
また、手の形状の個人差、ステープラーの握り方の違い、手のどの指を挿入するかによる違い、利き腕の違い、があっても理想的な挿入方向を有する指係止部１５を得やすい。
【００１４】
また、発明２では、本発明の効果に加えて、さらに手から滑り落ちにくく簡便なステープラーを得ることができる。
【００１５】
また、発明４では、本発明の効果に加えて、操作エネルギーの軽減と上質な操作性を同時に得ることができる。
【発明を実施するための最良の形態】
【００１６】
〔第１実施形態〕
図１において、ハンドル４及び５はそれぞれグラスファイバー強化ナイロンの射出成型によって一体成形したものである。
また、ハンドル４の他端部の外側の押圧面７に、ハンドル４の長手方向に挿入口１３及び挿入口１４の開けられた割り２２入りのC字状の指係止部１５が設けられている。この指係止部１５は親指が挿入されることを想定しているが、親指以外の指を想定する場合はハンドル４の揺動中心である軸線１に対して略平行な方向に挿入口１３及び挿入口１４を開けるのが好ましい。しかし、この指係止部１５は円盤状部２３がハンドル４の他端部に隙間嵌合され、ハンドル４の内側から円盤状部２３が回動可能なようにネジ止めされているので、押圧面７に略垂直な軸線２１を中心に回動可能であり、指の挿入方向を変更するのは容易である。
また、ハンドル５の他端部の外側の押圧面９にも、指係止部１５と同様な指係止部１８が軸線４１を中心に回動可能に設けられているが、輪状であり割りは入っていない。
また、指係止部(１５,１８)を、弾力性に富んだポリプロピレン等の樹脂や、伸縮性に富んだゴム等で成形して、より指にフィットするようにしてもよい。
また、指係止部（１５,１８）を輪状、Ｃ字状、挿入口（１３,１６）又は挿入口(１４,１７)をふさいだキャップ形状等、適材適所で形状を選択して使用することが好ましい。
【００１７】
また、ハンドル４及び５の一端部にそれぞれ設けられる軸線１及び２は同心である。
また、収納部６の一端部が軸線３を中心に揺動可能に支持されており、軸線３も軸線１及び２と同心であり、実際には軸線１、２及び３を中心とする軸ピン２４がこれらの揺動中心軸として挿入されている。
しかし、ここで同心とした軸線が、公知の様々なステープラー、特に倍力機構や平行リンク等の機構を採用する場合に同心でないことが多いことは、当業者であれば明らかである。
【００１８】
また、先頭のステープル１２及び最後尾のステープル２０等から成るステープル集合体、及び収納部６のスライド片１９は収納部６の溝に収納されており、ステープル２０がスライド片１９に付勢されることでステープル１２は収納部６の他端部方向に付勢されている。
また、収納部６の他端部に設けられた押出し口１１からステープル１２を押出し可能な押刃８は、ハンドル４の他端部の内側に一部が埋め込まれた金属製の板である。
また、ステープル１２の両端部が折れ曲がるように案内する溝が設けられた針受け部１０は、ハンドル５の他端部の内側に一部が埋め込まれた金属製の部材である。
また、ステープル１２を押出す前の待機状態において、押刃８及びステープル１２が適度な間隔を保つ為の戻しバネや、押出し口１１及び針受け部１０が適度な間隔を保つ為の戻しバネを設けてもよい。
【００１９】
〔第１参考例〕
図２及び３において、ハンドル４及び５、収納部６及び押刃部２５はそれぞれ鉄板をプレス成型したものである。
また、ハンドル４の他端部の外側の押圧面７に、ハンドル４の長手方向に挿入口１３及び１４の開けられたゴム成型製の輪状の指係止部１５が設けられている。
【００２０】
また、ハンドル４及び５の一端部にそれぞれ設けられる軸線１及び２は同心であり、ハンドル５の溝２８内で移動可能な軸線１を中心とする円柱突起２７は待機状態からステープル１２を押出すまでの操作では溝２８の一端付近にとどまり、ステープル（１２,２０）を補充する際は溝２８の他端付近に移動する。
また、収納部６の一端部が軸線３を中心に揺動可能に支持されており、軸線３は軸線２６と同心であり、実際には軸線３及び２６を中心とする軸ピンがこれらの揺動中心軸として挿入され、ハンドル５上の軸線２に近接したところで支持されている。
【００２１】
また、収納部６の他端部に設けられた押出し口１１からステープル１２を押出し可能な押刃８は、押刃部２５の他端部に一体成型されている。
また、ステープル１２の両端部が折れ曲がるように案内する溝が設けられた針受け部１０は、ハンドル５の他端部の内側に一体成型されている。
また、ステープル１２を押出す前の待機状態において、押刃８及びステープル１２が適度な間隔を保つ為の戻しバネや、押出し口１１及び針受け部１０が適度な間隔を保つ為の戻しバネを設けてもよい。
【００２２】
また、押圧部７からの押圧を押刃部２５の押圧被伝達部３４に伝える為のハンドル４の押圧伝達部３３には凸形状が一体成型されており、直線３７で押圧被伝達部３４に線接触して摺動可能である。
【００２３】
〔第２実施形態〕
第２実施形態は、第１参考例の押圧伝達部３３及び押圧被伝達部３４における伝達機構を図４及び５のようにしたのが大きな変更点であり、細かな変更点は当業者には明らかであるので記載は省略する。
【００２４】
押圧部７からの押圧を押刃部２５の押圧被伝達部３４に伝える為のハンドル４の押圧伝達部３３には軸線３９を中心とする軸ピンが挿入されており、押圧被伝達部３４には軸線４０を中心とする軸ピンが挿入されている。また一端が軸線３９を中心とする軸ピンに揺動可能に、他端が軸線４０を中心とする軸ピンに揺動可能に支持されるリンク３８を介して、押圧伝達部３３から押圧被伝達部３４に押圧が伝えられる。
【図面の簡単な説明】
【００２５】
【図１】待機状態の第１実施形態を第三角法で表した図
【図２】待機状態の第１参考例を軸線２６方向から見た投影図（模式図）
【図３】挟持状態の第１参考例を軸線２６方向から見た投影図（模式図）
【図４】待機状態の第２実施形態を軸線２６方向から見た投影図（模式図）
【図５】挟持状態の第２実施形態を軸線２６方向から見た投影図（模式図）
【符号の説明】
【００２６】
１,２,３,２１,２６,
３９,４０,４１.                 軸線
４,５.                                 ハンドル
６.                                      収納部
７,９.                                 押圧面
８.                                      押刃
１０.                                  針受け部
１１.                                  押出し口
１２,２０.                          ステープル
１３,１４,１６,１７.         挿入口
１５,１８.                          指係止部
１９.                                  スライド片
２２.                                  割り
２３,４２.                          円盤状部
２４.                                  軸ピン
２５.                                  押刃部
２７.                                  円柱突起
２８.                                  溝
２９.                                  平面
３０.                                  回転軌道
３１,３２,３５,３６.         点
３３.                                  押圧伝達部
３４.                                  押圧被伝達部
３７.                                  直線
３８.                                  リンク